(57)【特許請求の範囲】
【請求項１】
容器本体に取り付けられ、容器本体の内容物の取出口が形成されたキャップ本体と、該キャップ本体の前記取出口を塞ぐ蓋体とを有し、前記蓋体は蓋本体と取り付け片とをヒンジ部を介して一体に形成し、該蓋体の取り付け片を前記キャップ本体に形成した取り付け凹部に差し込むことにより前記蓋体とキャップ本体とを係合したワンタッチヒンジキャップであって、
前記キャップ本体の取り付け凹部は、前記蓋体の取り付け片に対する対向面の中央に係止凹部または係止突起を有し、前記蓋体の取り付け片の差し込み方向両側に該取り付け片の両端を保持する係止爪を有し、
前記蓋体の取り付け片は、前記キャップ本体の取り付け凹部に対する対向面の中央に、前記係止凹部または係止突起に係合する係止突起または係止凹部を有することを特徴とするワンタッチヒンジキャップ。
【発明の詳細な説明】
【０００１】
【発明の属する技術分野】
本発明は、容器本体に取り付けるキャップ本体と、これを塞ぐ蓋体とを別体で形成したワンタッチヒンジキャップに関し、例えば両者を別の色で成形して外観に優れたワンタッチキャップを構成する。
【０００２】
【従来の技術】
キャップ本体と蓋体とを別体で形成し、これらを組み合わせて構成するワンタッチヒンジキャップには、例えば、実開平３-49956号公報（以下、第１従来例という）、実公平６-3804 号公報（以下、第２従来例という）、実開平４-68851号公報（以下、第３従来例という）、または実開平４-102251 号公報（以下、第４従来例という）に開示されるものが知られている。
【０００３】
これら公報に開示されるワンタッチヒンジキャップは、容器本体に取り付けられ、容器本体に収容される内容物の取出口を設けたキャップ本体と、このキャップ本体を覆って、取出口を塞ぐ蓋体とを別体で構成している。そして、蓋体の一部に形成した取り付け部を、キャップ本体側に形成された取り付け部に連結させて両者を係合している。このとき、キャップ本体と蓋体とを別色の樹脂材で形成することにより、２色キャップを簡単に構成することが可能となり、外観に優れたワンタッチヒンジキャップを製造することができる。
【０００４】
キャップ本体と蓋体と係合構造として、上記第１従来例ではキャップ本体に取り付け片を構成し、蓋体側にこれに冠着する取り付け穴を形成して両者を係合している。また、上記第２従来例では、反対にキャップ本体側に取り付け穴を形成し、この取り付け穴に蓋体側に形成した取り付け片を挿入して、両者を係合している。これらいずれの従来例も、取り付け片と取り付け穴とは摩擦係止されて係合している。
【０００５】
また、第３従来例では、積極的に蓋体に設けた取り付け片に突起を形成して、これを変形させてキャップ本体と蓋体とを摩擦係合しており、さらに、第４従来例では、蓋体側の取り付け片に爪を設け、該爪をキャップ本体側に形成した取り付け穴に引っ掛けて両者を噛合させている。
【０００６】
【発明が解決しようとする課題】
しかしながら、上記第１及び第２従来例によっては、摩擦係合の強度は、これら取り付け片と取り付け穴の成形精度と弾性に依存しており、いずれかが好適でないと、蓋体が取れやすかったり、また製造の際に係止突起をうまくはめ込めないなどの問題点もあった。また、第３及び第４従来例のように、取り付け片に突起や爪を形成した場合は、係止凹部または係止穴に差し込むために、これら係止突起や爪自体を変形させて押し込まなければならず、大きな力が必要になるなど、製造効率が悪いという問題点もあった。
【０００７】
そこで本発明は、蓋体側に形成した取り付け片自体を変形可能な構造として、該取り付け片またはキャップ本体の取り付け凹部に形成した係止突起が、無理なく相手方の係止凹部に係合する構造として、キャップ本体と蓋体の係合を確実に行うことができ、かつ製造効率に優れたワンタッチヒンジキャップを提案することをその目的とする。
【０００８】
【課題を解決するための手段】
本発明は、容器本体に取り付けられ、容器本体の内容物の取出口が形成されたキャップ本体と、該キャップ本体の前記取出口を塞ぐ蓋体とを有し、前記蓋体は蓋本体と取り付け片とをヒンジ部を介して一体に形成し、該蓋体の取り付け片を前記キャップ本体に形成した取り付け凹部に差し込むことにより前記蓋体とキャップ本体とを係合したワンタッチヒンジキャップであって、前記キャップ本体の取り付け凹部は、前記蓋体の取り付け片に対する対向面の中央に係止凹部または係止突起を有し、前記蓋体の取り付け片の差し込み方向両側に該取り付け片の両端を保持する係止爪を有し、前記蓋体の取り付け片は、前記キャップ本体の取り付け凹部に対する対向面の中央に、前記係止凹部または係止突起に係合する係止突起または係止凹部を有するワンタッチヒンジキャップを構成して、上記課題を解決している。
【０００９】
【発明の実施の形態】
本発明の第１実施例を図１乃至図３に基づいて説明する。本実施例のワンタッチヒンジキャップ（以下、キャップという）Ａは、シャンプーや化粧料等流動性の内容物を収容する容器本体に取り付けられるキャップである。図１はキャップを構成するキャップ本体と蓋体の分解斜視図、図２はキャップ本体と蓋体とを係合した状態におけるキャップの上面図、また、図３はキャップ本体と蓋体とを係合した状態におけるキャップの側断面図である。
【００１０】
図１に示すように、キャップＡは所定の弾性を有する合成樹脂製のキャップ本体１と蓋体２とから構成される。キャップ本体１は円筒形状を有し、その上面の所定の位置に容器内容物を取出す取出口３が形成されている。また、キャップ本体１の側面には後述する蓋体２の取り付け片２２を嵌合させる取り付け凹部４が形成されている。この取り付け凹部４の両側は張出して係止爪５、５となっており、このため取り付け凹部４の壁面（取り付け片に対する対向面）６との間にスリット７、７が形成されている。また、該壁面６の中央部には係止突起８が形成されている。
【００１１】
また、図３に示すように、キャップ本体２の内面には、環状リブ９が形成されており、容器本体１５の首部１６をキャップ本体１との間に挟みこんで密閉する構造となっている。なお、この際、キャップ本体１の内周縁に切られた溝１０が容器本体１５の突条１７に嵌合して抜け止めされる構造となっている。
【００１２】
一方、蓋体２は、蓋本体２１と取り付け片２２とをヒンジ２３、２３、さらにこれらヒンジ２３、２３の間に形成された、側面Ｌ字状に曲がったバネ板２４で連結した構造を有し、一体成形されたものである。蓋本体２１は取り付け片２２に対して、ヒンジ２３、２３を軸として回動可能な構成として、バネ板２４がこの動きに対して付勢を与える。蓋本体２１には前記したキャップ本体１の取出口３を塞ぐための栓突起２５が形成されている。また、蓋本体２１の取り付け片２２側には、バネ板２４の形状に対応した開口部２６が形成されている。
【００１３】
取り付け片２２は、両側をヒンジ２３、２３で支持された板状片であって、その両端にはリップ２７、２７が形成されている。また、取り付け片２２の壁面（取り付け凹部に対する対向面）２８には、前記キャプ本体１の係止突起８に対応する係止凹部２９が形成されている。
【００１４】
次に、図１乃至図３を用いて、キャップ本体１と蓋体２との係合工程を説明する。これらの図に示すように、両者は、蓋体２の取り付け片２２をキャップ本体１の取り付け凹部４にはめ込むことによって係合される。
【００１５】
取り付け片２２のリップ２７、２７を取り付け凹部４のスリット７、７に挿入し、これをガイドとして取り付け片２２を押し込む。この際、取り付け凹部４の係止突起８が障害物となるが、挿入方向両側で支持され、所定の弾性を取り付け片２２は両端のリップ２７、２７が取り付け凹部４の係止爪５、５に押さえられて弓なりに変形する。このため、係止突起８を無理なく乗り越えさせて、取り付け片２２を押し込むことが可能である。
【００１６】
そして、係止突起８が取り付け片２２の係止凹部２９に到達すると、両者は噛合し、取り付け片２２も復元して取り付け片２２が取り付け凹部４に強固に係合する。なお、キャップ本体１と蓋体２とを別色の樹脂で形成すれば、２色ワンタッチキャップとなり、外観に優れたキャップを形成することができる。
【００１７】
キャップ本体１に蓋体２を取り付けると、蓋体２はキャップ本体１に対してヒンジ２３、２３を中心として回動し、蓋体２を閉めた場合は、栓突起２５が取出口３に嵌入され、キャップを閉めることができる。この際、バネ板４が蓋体２を閉める方向に付勢しているため、軽い力を加えるのみで、蓋体２が倒れる。蓋体２が閉まった状態においては、バネ板４が蓋体２の開口部２６にはまり、キャップの外周面から突出しない。
【００１８】
キャップ本体１及び蓋体２のヒンジ２３、２３とは反対端には、切欠き１ａ、２ａが形成されており、蓋体２を開く際、この部分に指を掛けて容易に蓋体２を引き上げることができる構造となっている。蓋体２を開いた状態にあっては、バネ板２４がこの姿勢を維持し、容器を傾けた際に蓋体２が倒れて閉じてしまうことはない。
【００１９】
次に、本発明の第２実施例を図４乃至図６に基づいて説明する。本実施例のキャップＢは、キャップ本体３１の取り付け凹部３４に係止凹部を設け、蓋体３２の取り付け片５２に係止突起を形成したものである。図４は、キャップを構成するキャップ本体と蓋体の分解斜視図、図５はキャップ本体と蓋体とを係合した状態におけるキャップの上面図、また、図６はキャップ本体と蓋体とを係合した状態におけるキャップの側断面図である。
【００２０】
図４に示すように、キャップＢは、第１実施例と同様に所定の弾性を有する合成樹脂製のキャップ本体３１と蓋体３２とから構成される。キャップ本体１はキューブ形状を有し、上面の略中央に取出口３３が形成されている。また、キャップ本体３１の側面に形成される取り付け凹部３４は、その両側が張出して係止爪３５、３５が形成されており、壁面３６との間がスリット３７、３７となる。第１実施例のキャップＡと異なり、該壁面３６の中央部には係止凹部３８が形成されている。
【００２１】
また、図６に示すように、キャップ本体３１の内面の環状リブ３９には、その内壁面にはネジ４０が形成されて、容器本体１５の首部１６のネジ１８に螺合させて両者を係合する構造となっている。環状リブ３９のさらに内側には、第２の環状リブ４１が形成されており、容器本体１の首部１６をこれら環状リブ３９、４１の間に挟みこんで密閉する。
【００２２】
一方、蓋体３２は、蓋本体５１と取り付け片５２とをヒンジ５３、５３及びバネ板５４で連結した構造を有し、一体成形されたものである。また、蓋本体５１にはキャップ本体３１の取出口３３を塞ぐ栓突起５５が形成され、また、ヒンジ５３、５３の間には、蓋体３２を閉めた際、このバネ板５４が内収される空間５６が形成されている。
【００２３】
取り付け片５２の両端には、リップ５７、５７が形成されて、キャップ本体３１の取り付け凹部３４に対向する壁面５８には、前記キャプ本体３１の係止凹部３８に対応する係止突起５９が形成されている。
【００２４】
以上のごとく別体として形成したキャップ本体３１と蓋体３２は、蓋体３２の取り付け片５２をキャップ本体３１の取り付け凹部３４にはめ込むことによって係合される。
【００２５】
図４乃至図６に示すごとく、取り付け片５２両端のリップ５７、５７と取り付け凹部３４のスリット３７、３７をガイドとして、取り付け片５２を取り付け凹部３４に上から押し込む。この際、取り付け片５２は係止突起５９が取り付け凹部３４の壁面３６に当接する一方、両端のリップ５７、５７が係止爪３５、３５に押さえられて、外側に弓なりに変形する。この変形により、取り付け片５２の係止突起５９は、壁面３６を無理なく乗り越えて係止凹部３８に嵌合し、キャップ本体３１と蓋体３２は確実に係合する。
【００２６】
なお、上記第１及び第２従来例では、いずれも、ヒンジ構造を中央にバネ板を有する、いわゆるミラーヒンジ構造としたが、本件発明に関するワンタッチヒンジキャップは、これに限定されるものではなく、他に単純なヒンジ構造のキャップに応用してもよいことは勿論である。
【００２７】
【発明の効果】
以上説明したように、本発明のワンタッチヒンジキャップによっては、蓋体の取り付け片を弓なりに変形させるために、キャップ本体と蓋体の係合作業を大きな力を必要とせず、簡単に行うことができる。一方、一旦、両者を係合させれば取り付け片と取り付け凹部の係止突起と係止凹部が嵌合して、キャップ本体と蓋体を確実に係合させることができる。
【図面の簡単な説明】
【図１】第１実施例のキャップを構成するキャップ本体と蓋体の分解斜視図である。
【図２】第１実施例の、キャップ本体と蓋体とを係合した状態におけるキャップの上面図である。
【図３】第１実施例の、キャップ本体と蓋体とを係合した状態におけるキャップの側断面図である。
【図４】第２実施例のキャップを構成するキャップ本体と蓋体の分解斜視図である。
【図５】第２実施例の、キャップ本体と蓋体とを係合した状態におけるキャップの上面図である。
【図６】第２実施例の、キャップ本体と蓋体とを係合した状態におけるキャップの側断面図である。
【符号の説明】
１、３１…キャップ本体
２、３２…蓋体
４、３４…取り付け凹部
５、３５…係止爪
８、５９…係止突起
２１、５１…蓋本体
２２、５２…取り付け片
２３、５３…ヒンジ
２９、３８…係止凹部
Ａ…ワンタッチヒンジキャップ（第１実施例）
Ｂ…ワンタッチヒンジキャップ（第２実施例）
【図１】
0003636793.tif 000002
【図２】
0003636793.tif 000003
【図３】
0003636793.tif 000004
【図４】
0003636793.tif 000005
【図５】
0003636793.tif 000006
【図６】
0003636793.tif 000007